(57)【特許請求の範囲】
【請求項１】
対となって対向配置される磁気コアのそれぞれに各別に覆設して巻線を施すべく嵌合自在に二つ割りされ、かつ、その嵌合時にそれぞれの基端側と先端側とにフランジ部を形成し得る突縁部を具備させた一側ボビン部と他側ボビン部とからなるクランプ式電流計用のボビンにおいて、
一側ボビン部と他側ボビン部とのいずれか一方がその基端側に備える前記突縁部には、二枚のガイド舌片を外周方向へと倒伏自在に突設するとともに、これらのガイド舌片をボビンの背面側に倒伏させた際に内側に位置するガイド舌片には相互に離間させた少なくとも２個の通孔を、外側に位置するガイド舌片には少なくとも１個の通孔をそれぞれ穿設して巻線から引き出されている一方の端部と他方の端部との隔離挿通を自在としたことを特徴とするクランプ式電流計用のボビン。
【請求項２】
前記ガイド舌片は、突縁部の下側に位置する開放縁側から略Ｖ字形を呈する嘴状に突設したことを特徴とする請求項１記載のクランプ式電流計用のボビン。
【請求項３】
対となって対向配置される磁気コアと、該磁気コアのそれぞれに各別に覆設すべく二つ割りされ、かつ、その嵌合時にそれぞれの基端側と先端側とにフランジ部を形成し得る突縁部を具備させた一側ボビン部と他側ボビン部とからなるボビンと、該ボビンのフランジ部相互間に位置する周面に施された巻線から引き出されている一方の端部と他方の端部とに個別に接続させて基端側から各別に引き出された外部リードとを少なくとも備えてなるクランプ式電流計のコアセンサにおいて、
一側ボビン部と他側ボビン部とのいずれか一方がその基端側に備える前記突縁部は、倒伏自在に外周方向へと突設された二枚のガイド舌片を備え、これらのガイド舌片のうち、ボビンの背面側に倒伏させた際に内側に位置するガイド舌片には相互に離間させた少なくとも２個の通孔を、外側に位置するガイド舌片には少なくとも１個の通孔をそれぞれ設け、巻線の一方の端部は、内側に位置するガイド舌片が有する一方の通孔を挿通させて外部に導出し、巻線の他方の端部は、内側に位置するガイド舌片が有する他方の通孔と外側に位置するガイド舌片が有する１の通孔とを挿通させて外部に導出し各別に外部リードに接続するとともに、これらのガイド舌片をボビンの背面側に倒伏させた状態のもとで外部リードの接続部ともども絶縁テープ材で被覆して外部リードを各別に外部に引き出したことを特徴とするクランプ式電流計のコアセンサ構造。
【発明の詳細な説明】
【０００１】
【発明の属する技術分野】
本発明は、巻線から引き出されている一方の端部（例えば始端部）と他方の端部（例えば終端部）とが相互に接触して短絡するのを確実に防止できるようにしたクランプ式電流計用のボビン及びこれを用いたコアセンサ構造に関する。
【０００２】
【従来の技術】
図４は、従来からあるクランプ式電流計が備える一対のコアセンサのうち、左側に位置するものを一例として示したものであり、このうち、（イ）は巻線処理を終えて巻線の始端部と終端部とを引き出してリード線に接続した状態を、（ロ）は巻線の始端部と終端部と対応するリード線との接続部位を絶縁テープで隠蔽しリード線を引き出した状態をそれぞれ示す。
【０００３】
同図によれば、磁性鋼板を積層させて略円弧状を呈して配置される磁気コア３との間にボビン４を介在させ、該ボビン４にその始端部５ａと終端部５ｂとが基端側から引き出されるようにして巻線５を施すことによりセンサ部２が形成されている。
【０００４】
しかも、ボビン４から引き出された巻線５の始端部５ａと終端部５ｂとは、それぞれが細径であるが故に、断線を防止する観点から図４（イ）に示すようにリード線６，７に各別に接続した後、基端側に位置する巻線５に覆設された絶縁テープ６の背面側に沿わせてやや折り返され、それぞれの接続部７ａ，８ａが位置する部位に絶縁テープ９をさらに捲着することにより、図４（ロ）に示すようにリード線７，８のみを外部に引き出した後、図示しないシールドケース内に絶縁した状態で収納することによりコアセンサ１が形成されている。
【０００５】
【発明が解決しようとする課題】
しかし、上記従来例によれば、絶縁テープ９により接続部７ａ，８ａを隠蔽して断線を防止しながらリード線７，８を引き出すことはできるものの、それぞれの接続部７ａ，８ａが巻線５と直に接触しないようにあらかじめ絶縁テープ６を巻線５上に捲着した上で、さらに絶縁テープ８を巻き付けるといったように絶縁テープ６，９を二層巻きしなければならない作業上の煩雑さがあった。
【０００６】
また、絶縁テープ９を巻付ける際には、リード線７，８の接続部７ａ，８ａ相互が接触して短絡することのないように引き離した状態に配置してはいるものの、そのために特段の配慮と手腕とが必要になる問題もあった。
【０００７】
本発明は従来技術にみられた上記課題に鑑み、巻線の一方の端部（例えば始端部）と他方の端部（例えば終端部）との間の短絡を確実に阻止し、かつ、作業性の向上と単純化にも寄与させることがきるようにしたクランプ式電流計用のボビン及びこれを用いたコアセンサ構造を提供することにその目的がある。
【０００８】
【課題を解決するための手段】
本発明は上記目的を達成すべくなされたものであり、そのうち、本発明に係るボビンの構成上の特徴は、対となって対向配置される磁気コアのそれぞれに各別に覆設して巻線を施すべく嵌合自在に二つ割りされ、かつ、その嵌合時にそれぞれの基端側と先端側とにフランジ部を形成し得る突縁部を具備させた一側ボビン部と他側ボビン部とからなるクランプ式電流計用のボビンにおいて、一側ボビン部と他側ボビン部とのいずれか一方がその基端側に備える前記突縁部には、二枚のガイド舌片を外周方向へと倒伏自在に突設するとともに、これらのガイド舌片をボビンの背面側に倒伏させた際に内側に位置するガイド舌片には相互に離間させた少なくとも２個の通孔を、外側に位置するガイド舌片には少なくとも１個の通孔をそれぞれ穿設して巻線から引き出されている一方の端部と他方の端部との隔離挿通を自在としたことにある。
【０００９】
また、本発明に係るコアセンサ構造の構成上の特徴は、対となって対向配置される磁気コアと、該磁気コアのそれぞれに各別に覆設すべく二つ割りされ、かつ、その嵌合時にそれぞれの基端側と先端側とにフランジ部を形成し得る突縁部を具備させた一側ボビン部と他側ボビン部とからなるボビンと、該ボビンのフランジ部相互間に位置する周面に施された巻線から引き出されている一方の端部と他方の端部とに個別に接続させて基端側から各別に引き出された外部リードとを少なくとも備えてなるクランプ式電流計のコアセンサにおいて、一側ボビン部と他側ボビン部とのいずれか一方がその基端側に備える前記突縁部は、倒伏自在に外周方向へと突設された二枚のガイド舌片を備え、これらのガイド舌片のうち、ボビンの背面側に倒伏させた際に内側に位置するガイド舌片には相互に離間させた少なくとも２個の通孔を、外側に位置するガイド舌片には少なくとも１個の通孔をそれぞれ設け、巻線の一方の端部は、内側に位置するガイド舌片が有する一方の通孔を挿通させて外部に導出し、巻線の他方の端部は、内側に位置するガイド舌片が有する他方の通孔と外側に位置するガイド舌片が有する１の通孔とを挿通させて外部に導出し各別に外部リードに接続するとともに、これらのガイド舌片をボビンの背面側に倒伏させた状態のもとで外部リードの接続部ともども絶縁テープ材で被覆して外部リードを各別に外部に引き出したことにある。
【００１０】
【発明の実施の形態】
図１は、本発明に係るボビンの一例をその左半分側について示す説明図であり、このうち（イ）は組立前の背面図を、（ロ）は組立後の背面図を、（ニ）は組立後の右側面図をそれぞれ示す。
【００１１】
同図によれば、ボビン１１の全体は、図１（イ）に示すように二つ割りされて嵌合自在に形成されたポリプロピレンやポリエチレンなどの絶縁性の合成樹脂材からなる例えば略円弧状など、適宜の形状を呈する一側ボビン部１５と他側ボビン部１８とで構成されている。
【００１２】
また、これら一側ボビン部１５と他側ボビン部１８とを対面合致する配置関係のもとで嵌合させて図１（ロ）に示すように組立てた際には、巻線捲着部１４を間に介在させた基端部と終端部とのそれぞれに図１（ハ）に示すようにフランジ部１２，１３を形成し得る突縁部１６，１７と突縁部１９，２０とを有して形成されている。
【００１３】
しかも、一側ボビン部１５と他側ボビン部１８とのいずれか一方、図示例によれば他側ボビン部１８の基端側に位置する突縁部１９には、適宜長さの二枚のガイド舌片２１，２２がその外周方向へと向けて倒伏自在に突設されている。この場合、二枚のガイド舌片２１，２２は、突縁部１９の下側に位置する開放縁１９ａ側から一方のガイド舌片２１が他方のガイド舌片２２より長く、かつ、略Ｖ字形を呈する嘴状となるようにして一体に突設するのが好ましい。なお、ガイド舌片２１，２２は、突縁部１９から個々独立した状態のもとで倒伏自在に突設することもできる。
【００１４】
また、これらのガイド舌片２１，２２のうち、ボビン１１の背面１１ａ側に倒伏させた際に内側に位置するガイド舌片２１には、相互に離間させた少なくとも２個の通孔２１ａ，２１ｂが、外側に位置するガイド舌片２２には、少なくとも１個の通孔２２ａがそれぞれ穿設されている。この場合、一方のガイド舌片２１の通孔２１ａ，２１ｂは、図示例のように縦列方向に適宜長さをおいて離間させて設けることができるほか、横列方向に離間させたり、斜め方向に離間させたりして設けるものであってもよい。また、他方のガイド舌片２２の通孔２２ａは、ボビン１１の背面１１ａ側に倒伏させた際に一方のガイド舌片２１の通孔２１ａと対面合致する位置関係のもとで形成するのが望ましい。
【００１５】
次に、上記ボビン１１を用いてなる本発明に係るコアセンサ構造につき、図２（イ）〜（ハ）としてその組立工程を示す説明図を参酌しながら該ボビン１１の作用とともに説明する。
【００１６】
すなわち、本発明に係るコアセンサは、対となって対向配置される磁気コア３３と、上記した構造を備えるボビン１１と、該ボビン１１のフランジ部１２，１３相互間に位置する巻線捲着部１４の周面に施された巻線３６から引き出されている一方の端部である例えば始端部３６ａと、他方の端部である例えば終端部３６ｂとに個別に接続させて基端側から各別に引き出された外部リード３７，３８とを少なくとも備えて形成されている。
【００１７】
この場合、磁気コア３３は、基端噛合部３４と先端噛合部３５とを残してボビン１１内に収容されており、これら基端噛合部３４と先端噛合部３５とは、図示しない他方の磁気コアが備える先端噛合部と基端噛合部との間で相互に櫛歯状となって噛合できるようになっている。
【００１８】
また、巻線３６は、ボビン１１のフランジ部１２，１３相互間に位置する巻線捲着部１４の周面にその一方の端部（例えば始端部）３６ａをボビン１１の基端側からあらかじめ引き出した状態のもとで施されるものであり、巻き上げた先端側から単に基端側へと、もしくは一往復以上の巻線処理を施した後にその他方の端部（例えば終端部）３６ｂを基端側から引き出すことにより、図２（イ）に示す状態となってその処理を終了する。
【００１９】
このようにして引き出された巻線３６の一方の端部３６ａと他方の端部３６ｂとは、一方の端部３６ａの側がガイド舌片２１の通孔２１ａとガイド舌片２２の通孔２２ａとに挿通され、他方の端部３６ｂの側がガイド舌片２１の通孔２１ｂに挿通されてそれぞれが外部へと導出される。なお、この場合、必要によりガイド舌片２１の通孔２１ａとガイド舌片２２の通孔２２ａとには巻線３６の他方の端部（例えば終端部）３６ｂの側を、ガイド舌片２１の通孔２１ｂには巻線３６の一方の端部（例えば始端部）３６ａの側を挿通するものであってもよい。
【００２０】
次いで、巻線３６の他方の端部（例えば終端部）３６ｂは、内側に位置するガイド舌片２１をボビン１１の背面１１ａ側へと倒伏させた上で外部リード３８にその一部を部分的に巻き付けてある程度の余裕を付与しながら半田付けされてなる接続部３８ａを介して外部リード３８の側に接続される。
【００２１】
巻線３６の他方の端部３６ｂを外部リード３８に接続した後は、外側に位置するガイド舌片２２を内側のガイド舌片２１の側へと倒伏させた上で、巻線３６の一方の端部（例えば始端部）３６ａが外部リード３７に部分的に巻き付けてある程度の余裕を付与しながら半田付けされてなる接続部３７ａを介して外部リード３７の側に接続される。これにより、巻線３６の一方の端部３６ａと他方の端部３６ｂとは、図２（ロ）に二点鎖線で囲繞した円形部分と、これを拡大した図３とに示されているように、外部リード３７と外部リード３８とに各別に接続されることになる。
【００２２】
しかる後、巻線３６の他方の端部（例えば終端部）３６ｂを含む外部リード３８の接続部３８ａはガイド舌片２１とガイド舌片２２との間に挟み込み、巻線３６の一方の端部（例えば始端部）３６ａを含む外部リード３７の接続部３７ａはガイド舌片２２上にその長さ方向に沿わせて配置する。その上で、絶縁板として機能するように巻線３６の側に倒伏させたガイド舌片２１，２２ともども基端側に位置する巻線３６部位の側に絶縁テープ３９を巻き付けて外部リード３７，３８を外部へと各別に引き出すことにより、図２（ハ）に示すセンサ部３２が形成されることになる。なお、該センサ部３２は、図示しないシールドケース内に絶縁した状態で収納することによりクランプ式電流計のコアセンサ３１として用いられることになる。
【００２３】
また、このとき、内側に位置するガイド舌片２１の長さが外側に位置するガイド舌片２２よりも長く形成されている場合には、通孔２１ｂの位置を通孔２１ａの位置よりも長さ方向での外側に位置させてあっても、巻線３６の他方の端部（例えば終端部）３６ｂを含む外部リード３８の接続部３８ａを巻線３６の側から確実に隔離して絶縁させることができる。
【００２４】
さらに、二枚のガイド舌片２１，２２が他側ボビン部１８に基端側に位置する突縁部１９の下縁側に位置する開放縁１９ａから略Ｖ字形を呈する嘴状に突設されている場合には、ボビン１１の背面側に位置する巻線３６に沿わせて密に倒伏させることができるので、絶縁テープ３９も凹凸を少なくして仕上がりよく円滑に巻き付けることができる。
【００２５】
【発明の効果】
以上述べたように本発明によれば、巻線の一方の端部と他方の端部とは、ボビンの基端側に位置するフランジ部の側から突設されている二枚のガイド舌片が有するそれぞれの通孔を挿通させて引き出すことができるので、一方の端部側と他方の端部側とを正しく仕分けることにより、相互を短絡させることなく外部へと確実に導出することがでる。
【００２６】
また、ガイド舌片は、これを倒伏させることにより巻線に対する絶縁板として機能させることができるので、外部リードとの接続部が巻線と直に接触することのないように絶縁テープを巻き付けておくという前処理をなくすことができ、作業の簡素化を実現することができる。
【００２７】
しかも、巻線の一方の端部と外部リードとの接続部と、他方の端部と外部リードとの接続部とは、二枚のガイド舌片を介して簡単、かつ、確実に隔離させることができるので、外部リードの引出し作業も熟練を要しない程度に単純化することができる。
【００２８】
なお、二枚のガイド舌片がボビンのフランジ部の側から略Ｖ字形を呈する嘴状に突設されている場合には、ボビンの背面側に位置する巻線に沿わせて密に倒伏させることができるので、絶縁テープもその凹凸を少なくして仕上がりよく円滑に巻き付けることができる。
【図面の簡単な説明】
【図１】本発明に係るボビンの一例をその左半分側について示すものであり、このうち（イ）は組立前の背面図を、（ロ）は組立後の背面図を、（ニ）は同右側面図をそれぞれ示す。
【図２】本発明に係るコアセンサ構造の一例についての組立工程を示す説明図であり、このうち（イ）は巻線の一方の端部と他方の端部とを引き出した状態を、（ロ）はガイド舌片を介してリード線に巻線の一方の端部と他方の端部とを各別に接続した状態を、（ハ）はガイド舌片を巻線の背面側に倒伏させて絶縁テープを巻き付けてリード線を引き出した状態をそれぞれ示す。
【図３】図２（ロ）における円形囲繞部分を拡大して示す要部説明図。
【図４】従来からあるコアセンサ構造の一例についての組立工程を示す説明図であり、このうち（イ）は引き出された巻線の始端部と終端部とにリード線を各別に接続した状態を、（ロ）は絶縁テープを巻き付けてリード線を引き出した状態をそれぞれ示す。
【符号の説明】
１１  ボビン
１１ａ  背面
１２，１３  フランジ部
１４  巻線捲着部
１５  一側ボビン部
１６，１７  突縁部
１８  他側ボビン部
１９，２０  突縁部
２０ａ  開放縁
２１，２２  ガイド舌片
２１ａ，２１ｂ，２２ａ  通孔
３１  コアセンサ
３２  センサ部
３３  磁気コア
３４  先端噛合部
３５  基端噛合部
３６  巻線
３６ａ  一方の端部（始端部）
３６ｂ  他方の端部（終端部）
３７，３８  外部リード
３７ａ，３８ａ  接続部
３９  絶縁テープ
【図１】
0004301464.tif 000002
【図２】
0004301464.tif 000003
【図３】
0004301464.tif 000004
【図４】
0004301464.tif 000005